(57)【要約】      （修正有）【課題】石ケンの水との接触を抑えて水による石ケンの軟化を防止する石ケンホルダーを提供する。【解決手段】所望の箇所に取り付けられる基部２と、基部から突出し、固形の石ケンを押しつけることで石ケンに刺さって刺さった状態で石ケンを保持するピン３とを備える。基部は、一方の面が取付面となるとともに他方の面が保持面２ａとなる平板状に形成され、保持面に、ピンが４つ直線で結ぶと矩形となるように配設する。また、４つのピンの間を通る十字状であって４つの端部が保持面の縁部まで延びている溝５が設けられていることが好ましい。また、保持面に、当該保持面から隆起又は突出してピンに保持される石ケンの保持面への接触を防止する突部を設けることが好ましく、さらに、ピンをその突部から突出させることが好ましい。【選択図】図３
0003182564.tif 000002
【実用新案登録請求の範囲】
【請求項１】
所望の箇所に取り付けられる基部と、前記基部から突出し、固形の石ケンを押しつけることで石ケンに刺さって刺さった状態で石ケンを保持するピンとを備えたことを特徴とする石ケンホルダー。
【請求項２】
前記基部は、前記所望の箇所に取り付けられる箇所と反対側に保持面が形成され、前記保持面に、前記ピンが互いに間隔をあけて３つ以上配設されている請求項１に記載の石ケンホルダー。
【請求項３】
前記ピンが、直線で結ぶと矩形となるように４つ配設されている請求項２に記載の石ケンホルダー。
【請求項４】
前記基部は、前記所望の箇所に取り付けられる箇所と反対側に保持面が形成され、前記保持面の前記ピンに保持させた石ケンと対向する対向箇所に、溝を設けた請求項１〜３のいずれか１項に記載の石ケンホルダー。
【請求項５】
前記基部は、前記所望の箇所に取り付けられる箇所と反対側に保持面が形成され、前記保持面が、平面状に形成されている請求項１〜４のいずれか１項に記載の石ケンホルダー。
【請求項６】
前記基部は、一方の面が取付面となるとともに他方の面が保持面となる平板状に形成され、前記保持面に、前記ピンが４つ直線で結ぶと矩形となるように配設されるとともに、前記４つのピンの間を通る十字状であって４つの端部が前記保持面の縁部まで延びている溝が設けられている請求項１に記載の石ケンホルダー。
【請求項７】
前記基部は、前記所望の箇所に取り付けられる箇所と反対側に保持面が形成され、前記保持面に、当該保持面から隆起又は突出して前記ピンに保持される石ケンの保持面への接触を防止する突部を設けた請求項１〜６のいずれか１項に記載の石ケンホルダー。
【請求項８】
前記ピンは、前記突部から突出している請求項７に記載の石ケンホルダー。
【考案の詳細な説明】
【技術分野】
【０００１】  本考案は、固形の石ケンを保持する石ケンホルダーに関するものである。
【背景技術】
【０００２】  固形の石ケンは、水溶性の固形洗剤で形成されていることから、使用後に置く容器に水が残っていたり石ケンに水が付着していたりすると水が起因して石ケンが軟化してしまう。このため、使用後、石ケンを乾いたタオル等で拭いて石ケンに付着している水を拭き取らないと、石ケンに付着している水によって石ケンの軟化を助長するものとなるので、使用後の石ケンはなるべく早く乾燥させることが肝要である。【０００３】  ところで、従来市販されていたり石ケンに付属していたりする石ケンホルダーは、石ケンとの接触面積が大きく、この接触箇所では、水が流れたり蒸発したりし難く、石ケンが水と接触したままとなることがあった。このように、石ケンが水に接触したままであると、石ケンが軟化して溶け早く小さくなるので、経済的ではなかった。
【考案の概要】
【考案が解決しようとする課題】
【０００４】  そこで、本考案は、石ケンとの接触を少なくし水による石ケンの軟化を防止する石ケンホルダーを提供することにある。
【課題を解決するための手段】
【０００５】  上記課題を解決するため、本考案に係る石ケンホルダーは、所望の箇所に取り付けられる基部と、前記基部から突出し、固形の石ケンを押しつけることで石ケンに刺さって刺さった状態で石ケンを保持するピンとを備えたことを特徴とする。
【考案の効果】
【０００６】  本考案によれば、固形の石ケンをピンに押しつけてピンを石ケンに刺すと、石ケンがピンに直接刺さった状態で保持されるから、石ケンとの接触が少なくなり、石ケンに付着している水が石ケンから流れ落ちたり蒸発したりするので、水による石ケンの軟化を防止することができる。
【図面の簡単な説明】
【０００７】
【図１】  本考案に係る一実施形態の石ケンホルダーの一例を示す上面図である。
【図２】  本実施形態の石ケンホルダーの一例を示す正面図である。
【図３】  本実施形態の石ケンホルダーを浴室のタイル壁に取り付ける一例を示す斜視図である。
【図４】  本実施形態の石ケンホルダーに石ケンを保持させた状態の一例を示す一部破断斜視図である。
【図５】  本実施形態の石ケンホルダーに用いられるピンに石ケンを保持させた状態の一例を示す断面図である。
【考案を実施するための形態】
【０００８】  以下に，本考案に係る一実施形態の石ケンホルダーを添付図面に基づいて説明する。図１〜図５に示すように、本実施形態の一例の石ケンホルダー１は、所望の箇所に取り付けられる基部２と、基部２から突出し、固形の石ケン（以下、単に「石ケン」という。）を押しつけることで石ケンに刺さって刺さった状態で石ケン１０を保持するピン３とを備えている。石ケン１０は、固形のものであれば特に限定されず、また、その形状も特に限定されない。
【０００９】  基部２は、洗面所、キッチン、浴室等の壁や台などの所望の箇所に取り付けられるものである。基部２は、石ケン１０を保持したまま壁等の所望の箇所に取り付けられることができればその形状は特に限定されず、例えば、平板状特に矩形平板状に合成樹脂や金属等で形成するようにしてもよい。基部２は、上方から見たときの矩形の形状が、例えば、石ケン１０の形状として汎用されている略直方体状あるいは扁平な直方体状の上面から見たときの略矩形と同じか少し大きいか又は少し小さい矩形状に形成されていることが好ましい。基部２の厚さは、特に限定されない。
【００１０】  基部２の両長辺部の中央には、保持されている石ケン１０を石ケンホルダー１から取り易くするために切欠き２１が設けられていることが好ましい。切欠き２１は、コ字状、Ｖ字状、アーチ状等特に限定されず、図示例ではアーチ状に形成されている。基部２の一方の面である保持面２ａは、落ちたりした水が保持面上に滞留し難い形状であることが好ましく、例えば、平面状に形成されていることが好ましい。このように、保持面２ａが平面状に形成されていることで、保持面２ａに水が滞留し難くなっている。また、基部２の一方の面である裏面（取付面２ｂ）は、基部２を壁等の所望の箇所に取り付けるための取付手段が設けられている。
【００１１】  取付手段は、石ケン１０を保持したままの基部２を壁等の所望の箇所に取り付けることができれば、特に限定されず、両面粘着テープ、粘着剤、吸盤、磁石等を用いることができ、特に両面粘着テープ６等を用いてもよい。取付手段として両面粘着テープ６を用いる場合、基部２の取付面２ｂには、両面粘着テープ６の一方の面を取り付けて収容するテープ収容部が設けられている。テープ収容部に収容された状態で取り付けられた両面粘着テープ６の他方の面は、取付面２ｂから突出している（図２参照。）。これにより、この他方の面の接着剤である接着部を露出させて接着部を所望の箇所に接着させることで、基部２を所望の箇所に取り付けることができるようになっている。
【００１２】  ピン３は、石ケン１０が押しつけられることで石ケン１０に刺され、刺された石ケン１０を保持することができればどのように構成してもよく、例えば、断面円形の棒状で、基部２に例えば一体に設けられている。ピン３の径や長さ等は石ケン１０を刺した状態で保持できれば特に限定されない。ピン３の先端の形状は、例えば、球面状に形成してもよいし、針状等その他の形状に形成してもよい。ピン３の個数は、１つでも２つ以上でもよく特に限定されず、例えば、石ケン１０を安定に保持し得ることから３つ以上が好ましく、特に４つが好ましい。
【００１３】  ４つのピン３の配置は、特に限定されず、例えば、ピン３を直線で結ぶと矩形となるように配置することが好ましく、特に石ケン１０が小さくなっても保持し得る範囲から任意に設定される。４つのピン３は、基部２の長手方向の中央寄り、例えば、切欠き２１の間に配置されていることが好ましい。具体的には、４つのピン３のうちの２つのピン３が、一方の切欠き２１の近傍で、残りの２つのピン３が、他方の切欠き２１の近傍で、これら４つのピン３を結んで形成される矩形が基部２の長手方向に対して直交する方向に長く形成されている。
【００１４】  また、保持面２ａに、石ケン１０をピン３に刺して保持させたとき、石ケン１０の保持面２ａへの接触を防止する突部４を設けることが好ましい。突部４は、石ケン１０の保持面２ａへの接触を防止することができればその形状は特に限定されず、例えば、保持面２ａを隆起させたり突出させたりして形成してもよいし、別部材を保持面２ａに取り付けて形成してもよい。突部４の個数や配置は、石ケン１０の保持面２ａへの接触を防止することができれば、特に限定されない。突部４は、例えば、傾斜が緩やかな円錐状に形成していもよい。また、突部４は、図示するように、ぴんの根元に設けるようにしてもよい。すなわち、ピン３は、突部４から突出するようにしてもよく、基部２、４つの突部４及びピン３を例えば合成樹脂で一体に形成してもよい。
【００１５】  また、保持面２ａのピン３に保持させた石ケン１０と対向する対向箇所に、溝５を設けることが好ましい。溝５の形状は、断面コ字状、断面Ｖ字状、断面アーチ状等特に限定されない。溝５は、基部２の縁部まで延びていることがよい。例えば、基部２が略矩形状に形成されている場合、基部２の長手方向に沿った両長辺部の中央部を結ぶ直線と、基部２の長手方向に対して直行する方向に沿った両短辺部の中央部を結ぶ直線とからなる十字状に溝５を形成する。すなわち、図示するように、保持面２ａにピン３が４つ直線で結ぶと矩形となるように配設されている場合、４つのピン３の間を通る十字状であって４つの端部が保持面２ａの縁部まで延びる溝５を設けるようにすることが好ましい。
【００１６】  さて、この石ケンホルダー１を用いて石ケン１０を保持させる場合には、まず、基部２の裏面に取り付けられている両面粘着テープ６の粘着面を覆っている紙を両面粘着テープ６から剥がし、洗面所、キッチン、浴室等の壁や台などの所望の箇所、図示例では、浴室のタイル壁１１にその粘着面を押し付けて基部２を取り付ける。このとき、基部２の長手方向が高さ方向と略平行となるように基部２を取り付けることが好ましい。なお、基部２の長手方向が高さ方向に対して傾斜したり直交したりするように基部２を取り付けるようにしてももちろんよい。
【００１７】  基部２を取り付けた後、石ケン１０を手で持ってピン３に押しつけてピン３を石ケン１０に刺す（特に図４及び図５参照。）。石ケン１０から手を離すと、石ケン１０がピン３に直接刺さった状態で保持される。これにより、石ケン１０との接触が少なくなり、石ケン１０に付着している水が石ケン１０から流れ落ちたり蒸発したりするので、水による石ケン１０の軟化を防止することができる。
【００１８】  このとき、基部２の保持面２ａに突部４が設けられ、この突部４からピン３が突出していると、ピン３に石ケン１０を刺して保持させたとき、石ケン１０が保持面２ａから離れて、すなわち、保持面２ａから浮いて、石ケン１０の保持面２ａへの接触が防止される（特に図５参照。）。その結果、石ケン１０と基部２との接触がほとんどなく、石ケン１０に付着している水が確実に石ケン１０から流れ落ちたり蒸発したりするので、水による石ケン１０の軟化を一層防止することができる。また、保持面２ａに溝５が例えば十字状に設けられていることで、溝５を介して石ケン１０と保持面２ａとの間で空気が流通するので、石ケン１０に付着している水が確実に石ケン１０から流れ落ちたり蒸発したりするので、水による石ケン１０の軟化を一層防止することができる。
【符号の説明】
【００１９】  １  石ケンホルダー
２  基部
３  ピン
４  突部
５  溝
６  両面粘着テープ
１１  タイル壁
２１  切欠き
【図１】
0003182564.tif 000003
【図２】
0003182564.tif 000004
【図３】
0003182564.tif 000005
【図４】
0003182564.tif 000006
【図５】
0003182564.tif 000007